(57)【要約】  装置は、光増幅器と、光増幅器に接続された光プロセッサと、光プロセッサに接続された複数の光検出器とを備えていて、各光検出器は、単一速度検出器である。以下のステップを有する方法を実行するように構成された少なくとも１つのプロセッサを備えた装置も開示されている。複数の速度を含む光信号を増幅するステップと、増幅された光信号を複数の光信号にコピーするステップと、コピーされた光信号の各々上で単一の速度を検出するステップ。以下のステップを有する方法も含まれる。複数の検出器と互換性を持たない第１の光信号を増幅するステップと、第１の光信号を複数の第２の光信号に分割するステップと、第２の光信号が検出器と互換性を持つようにするために、第２の光信号の一部分を無視するステップ。
2011502366.tif 000002
【特許請求の範囲】
【請求項１】
光増幅器と、
光増幅器に接続された光プロセッサと、
光プロセッサに接続された複数の光検出器とを備えていて、各光検出器は、単一速度検出器であることを特徴とする装置。
【請求項２】
光プロセッサは、本質的にスプリッタから成ることを特徴とする請求項１に記載の装置。
【請求項３】
光プロセッサは、光検出器のうちの１つに各々接続された複数の波長フィルタを備えていることを特徴とする請求項１に記載の装置。
【請求項４】
光プロセッサは、光増幅器に接続されたスプリッタを更に備えていることを特徴とする請求項３に記載の装置。
【請求項５】
少なくとも１つの波長フィルタは、スプリッタに接続されていて、残りの波長フィルタは、他の波長フィルタに接続されていることを特徴とする請求項４に記載の装置。
【請求項６】
波長フィルタは、帯域通過フィルタであることを特徴とする請求項３に記載の装置。
【請求項７】
光検出器の各々は、速度と周波数範囲の唯一の組合せを検出することを特徴とする請求項１に記載の装置。
【請求項８】
光検出器は、光プロセッサに並列に接続されていることを特徴とする請求項１に記載の装置。
【請求項９】
少なくともいくつかの光検出器に接続された時分割多重接続（ＴＤＭＡ）制御器を更に備えていることを特徴とする請求項１に記載の装置。
【請求項１０】
複数の速度を含んでいる光信号を増幅するステップと、
増幅された光信号を複数の光信号にコピーするステップと、
コピーされた光信号の各々上で単一の速度を検出するステップと
を有する方法を実行するように構成された少なくとも１つのプロセッサを備えていることを特徴とする装置。
【請求項１１】
前記方法は、検出された光信号の各々を時分割多重分離するステップを更に有していることを特徴とする請求項１０に記載の装置。
【請求項１２】
前記光信号は、更に、複数の波長を含んでいることを特徴とする請求項１０に記載の装置。
【請求項１３】
前記方法は、増幅された光信号またはコピーされた光信号のうちの少なくとも１つを複数の単一波長光信号に分割するステップを更に有していることを特徴とする請求項１２に記載の装置。
【請求項１４】
検出された第１の光信号は、第１の速度かつ第１の波長で動作し、検出された第２の光信号は、第２の速度かつ第２の波長で動作し、検出された第３の光信号は、第２の速度かつ第３の波長で動作し、検出された第４の光信号は、第２の速度かつ第４の波長で動作し、検出された第５の光信号は、第２の速度かつ第５の波長で動作することを特徴とする請求項１２に記載の装置。
【請求項１５】
速度のうちの１つのための波長が、速度のうちの他の１つのための波長と重複していることを特徴とする請求項１２に記載の装置。
【請求項１６】
第１の速度は、毎秒約１．２５ギガビット（Gbps）に等しく、第１の波長は、約１３１０ナノメートル（nm）に等しく、第２の速度は、約２．５Gbpsに等しく、第２の波長は、約１２７０ナノメートルに等しく、第３の波長は、約１２９６．５ナノメートルに等しく、第４の波長は、約１３２４．５ナノメートルに等しく、第５の波長は、約１３５０ナノメートルに等しいことを特徴とする請求項１５に記載の装置。
【請求項１７】
複数の検出器と互換性を持たない第１の光信号を増幅するステップと、
第１の光信号を複数の第２の光信号に分割するステップと、
第２の光信号が検出器と互換性を持つようにするために、第２の光信号の一部分を無視するステップとを有していることを特徴とする方法。
【請求項１８】
複数速度光電子素子は、第２の光信号を検出するために必要とされないことを特徴とする請求項１７に記載の方法。
【請求項１９】
前記方法は、第１の光信号を増幅するステップを更に有していることを特徴とする請求項１７に記載の方法。
【請求項２０】
第２の光信号の各々の残りの部分は、単一の速度を表していることを特徴とする請求項１７に記載の方法。
【発明の詳細な説明】
【技術分野】
【０００１】
本発明は、複数速度複数波長光バースト検出器に関する。
本願は、Frank J. Effenbergerによって２００７年４月３０日に出願されて、"Multi-Rate Multi-Wavelength Optical Burst Detector"と題された米国仮特許出願第６０／９１５，０３８号と、Frank J. Effenbergerによって２００８年２月７日に出願されて、"Multi-Rate Multi-Wavelength Optical Burst Detector"と題された米国特許出願第１２／０２７，３８７号とに対する優先権を主張する。これらは、ここでの引用によって、あたかもそれらの全部が複写されたかのように、本願明細書に組み込まれるものとする。
【背景技術】
【０００２】
受動光ネットワーク（ＰＯＮ）は、“the last mile”を通じてのネットワークアクセスを提供するための一システムである。ＰＯＮは、中央局における光ラインターミナル（ＯＬＴ）、光分配ネットワーク（ＯＤＮ）、および顧客の建物における複数の光ネットワークターミナル（ＯＮＴ）を含む一地点から複数地点へのネットワークである。現在のＰＯＮシステムにおいて、下り（downstream）データ伝送は、全てのＯＮＴにブロードキャストされ得る一方で、上り（upstream）データ伝送は、時分割多重接続（ＴＤＭＡ）技術を用いてＯＬＴに伝送され得る。例えば、ギガビットＰＯＮシステムは、毎秒２．５ギガビット（Gbps）の下り帯域幅および１．２５Gbpsの上り帯域幅を提供する。ＴＤＭＡ技術を用いると、伝送データは、数人のユーザの間で、単一の上り波長、例えば１３１０nmを共有することができる。
【発明の概要】
【発明が解決しようとする課題】
【０００３】
将来のＰＯＮシステムは、より高速、例えば１０．３Gbps、および／または、より多くの波長をサポートすることが期待されている。例えば、波長分割多重化（ＷＤＭ）受動光ネットワーク（ＷＰＯＮ）システムが、ユーザ当たりにより高い帯域幅を提供して、かつより多くのユーザをサポートするために提案されてきた。ＷＰＯＮシステムにおいて、光の複数の波長は、複数のデータ信号を伝えるために用いられる。ＷＰＯＮおよび他のＰＯＮシステムが現在のシステムと容易に統合されることが望ましい。ＰＯＮシステムの統合は、複数速度、複数波長信号を検出することができるＯＬＴの受信器の使用を必要とする。
【課題を解決するための手段】
【０００４】
一実施形態において、光増幅器と、光増幅器に接続された光プロセッサと、光プロセッサに接続された複数の光検出器とを備えた装置が開示される。各光検出器は、単一速度検出器である。
【０００５】
別の実施形態では、複数の速度を有する光信号を増幅するステップと、増幅された光信号を複数の光信号にコピーするステップと、コピーされた光信号の各々における単一の速度を検出するステップとを有する方法を実行するように構成された少なくとも１つのプロセッサを備えた装置が開示される。
【０００６】
更に別の実施形態では、複数の検出器と互換性を持たない第１の光信号を増幅するステップと、第１の光信号を複数の第２の光信号に分割するステップと、第２の光信号が検出器と互換性を持つようにするために、第２の光信号の一部分を無視するステップとを有する方法が開示される。
【０００７】
これらの、そしてまた他の特徴は、添付の図面および請求項に関連してされる以下の詳細な説明から、より明確に理解されるであろう。
【０００８】
この開示のより完全な理解のために、ここで、添付の図面および詳細な説明と関連する以下の図面の簡単な説明について言及する。ここで、同一の参照番号は同一の部分を表す。
【図面の簡単な説明】
【０００９】
【図１】ＰＯＮシステムの一実施形態の概略図である。
【図２】複数速度、複数波長検出システムの一実施形態の概略図である。
【図３】複数速度検出システムの一実施形態の概略図である。
【図４】複数速度、複数波長検出システムの別の実施形態の概略図である。
【図５】複数速度、複数波長検出方法の一実施形態のフローチャートである。
【図６】汎用コンピュータシステムの一実施形態の概略図である。
【発明を実施するための形態】
【００１０】
初めに、１つ以上の実施形態の例示としての実施が、以下に提供されるが、開示されたシステムおよび／または方法は、現在公知または存在する多くの技術を用いて実施され得ることは理解されなければならない。開示は、ここに示しかつ説明する例示的な設計および実施を含む、以下に示す例示としての実施、図面および技術に、決して限られてはならず、それらの等価物の全範囲と共に、添付の請求項の範囲内で変更され得る。
【００１１】
ＰＯＮにおける複数速度、複数波長信号を検出するためのシステムおよび装置が、ここに開示される。複数速度、複数波長信号は、異なる速度および異なる波長を有する複数のデータ信号を含むことができる。システムは、複数速度、複数波長信号を増幅し、増幅された複数速度、複数波長信号を複数の単一波長信号に分割し、単一波長信号の各々から単一速度を検出することによって、複数速度、複数波長信号を検出することができる。単一波長信号を検出するために用いられる受信器は、単一速度でデータを検出することのみが可能な単一速度受信器であってもよい。システムは、動的速度機能を有する光エレクトロニクスベースの検出器を利用せずに、複数速度、複数波長信号を伝送する統合化ＰＯＮシステムのための動的検出能力を提供することができる。複数速度、複数波長検出システムは、異なるＰＯＮシステム間での互換性を提供して、次世代ＰＯＮシステムと現在のＰＯＮシステムとの統合を容易にすることもできる。
【００１２】
図１は、ＰＯＮ１００の一実施形態を示している。ＰＯＮ１００は、ＯＬＴ１１０と、複数のＯＮＴ１２０と、ＯＤＮ１３０とを含んでいる。ＰＯＮ１００は、ＯＬＴ１１０とＯＮＴ１２０の間でデータを配信するために、能動素子を必要としない通信ネットワークである。その代わりに、ＰＯＮ１００は、ＯＬＴ１１０とＯＮＴ１２０の間でデータを分配するために、ＯＤＮ１３０の中で受動光素子を用いる。適切なＰＯＮ１００の例は、非同期転送モードＰＯＮ（ＡＰＯＮ）、およびITU-T G.983規格によって定義されるブロードバンドＰＯＮ（ＢＰＯＮ）、ITU-T G.984規格によって定義されるギガビットＰＯＮ（ＧＰＯＮ）、IEEE 802.3ah規格によって定義されるイーサネット（登録商標）ＰＯＮ（ＥＰＯＮ）、および波長分割多重化ＰＯＮ（ＷＰＯＮ）を含む。これらの全ては、引用によって、あたかもそれらの全部が複写されたかのように、本願明細書に組み込まれるものとする。
【００１３】
ＰＯＮ１００の１つの構成要素は、ＯＬＴ１１０であってもよい。ＯＬＴ１１０は、ＯＮＴ１２０および他のネットワーク（図示せず）と通信するように構成されている任意の装置であってもよい。具体的には、ＯＬＴ１１０は、他のネットワークとＯＮＴ１２０との間の媒介として動作し得る。例えば、ＯＬＴ１１０は、ネットワークから受信されたデータをＯＮＴ１２０に転送し、かつＯＮＴ１２０から受信されたデータを他のネットワーク上へ転送することができる。ＯＬＴ１１０の特定の構成はＰＯＮ１００のタイプに応じて変化し得るが、一実施形態では、以下で詳細に説明するように、ＯＬＴ１１０は送信器および受信器を備え得る。他のネットワークが、例えばイーサネット（登録商標）またはSONET/SDHのような、ＰＯＮ１００において用いられる通信プロトコルとは異なるプロトコルを用いているとき、ＯＬＴ１１０は、他のネットワークのデータをＰＯＮのプロトコルに変換する変換器を備え得る。ＯＬＴ１１０の変換器は、ＰＯＮのデータを他のネットワークのプロトコルに変換することもできる。ここに記載したＯＬＴ１１０は、通常は中央位置、例えば中央局（central office）にあるが、他の位置にあってもよい。
【００１４】
ＰＯＮ１００の他の構成要素は、ＯＮＴ１２０であり得る。ＯＮＴ１２０は、ＯＬＴ１１０および顧客またはユーザ（図示せず）と通信するように構成された任意の装置であり得る。具体的には、ＯＮＴは、ＯＬＴ１１０と顧客との間の媒介として動作し得る。例えば、ＯＮＴ１２０は、ＯＬＴ１１０から受信したデータを顧客に転送し、かつ顧客から受信したデータをＯＬＴ１１０上に転送することができる。ＯＮＴ１２０の具体的な構成はＰＯＮ１００のタイプに応じて変化し得るが、一実施形態では、ＯＮＴ１２０は、ＯＬＴ１１０に対して光信号を送信するように構成された光送信器を備え得る。加えて、ＯＮＴ１２０は、ＯＬＴ１１０から光信号を受信するように構成された光受信器と、光信号を顧客のための電気信号、例えばＡＴＭまたはイーサネット（登録商標）プロトコルの信号に変換する変換器とを備えていてもよい。ＯＮＴ１２０は、更に、顧客の装置に電気信号を送信および／または受信することができる第２の送信器および／または受信器を備えていてもよい。いくつかの実施形態において、ＯＮＴ１２０と光ネットワークユニット（ＯＮＵ）は似ているので、用語は、ここでは交換可能に用いられる。ＯＮＴは、通常は分配された位置、例えば顧客の建物にあるが、他の位置にあってもよい。
【００１５】
ＰＯＮ１００の他の構成要素は、ＯＤＮ１３０であり得る。ＯＤＮ１３０は、光ファイバケーブル、カプラ、スプリッタ、分配器、および／または他の機器を備え得るデータ分配システムである。一実施形態において、光ファイバケーブル、カプラ、スプリッタ、分配器、および／または他の機器は、受動光素子である。具体的には、光ファイバケーブル、カプラ、スプリッタ、分配器、および／または他の機器は、ＯＬＴ１１０とＯＮＴ１２０との間でデータ信号を分配するためにパワーを必要としない素子であり得る。ＯＤＮ１３０は、通常は、図１に示すような分岐構成においてＯＬＴ１１０からＯＮＴ１２０に伸びているが、代替案として当業者が定めたように構成してもよい。
【００１６】
ここに記載したＰＯＮ１００は、少なくとも１つの複数速度、複数波長信号を含み得る。複数速度、複数波長信号は、異なる速度、異なる波長、またはそれらの組み合わせで送信される複数の信号を含み得る。具体的には、異なる速度で送信される信号は、時分割多重化（ＴＤＭ）または他の多重化方式を用いて、複数速度、複数波長信号に多重化され得る。このように、複数速度、複数波長信号の中の個々の信号は、実質的に同じ、または重複する波長を有していてもよい。複数速度、複数波長信号が複数の波長を含むのであれば、異なる波長または異なる波長の範囲で送信される信号は、同程度の速度で送信される信号を含んでいてもよい。異なる波長または異なる波長の範囲で送信される信号は、粗い波長分割多重化（ＣＷＤＭ）、密な波長分割多重化（ＤＷＤＭ）、または他のＷＤＭ方式を用いて、複数速度、複数波長信号に多重化され得る。
【００１７】
複数速度、複数波長信号は、同じＯＬＴと通信している複数の異なるタイプのＰＯＮ素子によって作成され得る。信号は、同じＯＬＴと通信している異なる通信プロトコルを有する類似のＰＯＮ素子によっても作成され得る。例えば、第１のＯＮＴは、約１．２５Gbpsに等しい速度かつ約１３１０ナノメートル（nm）に等しい波長で、第１の上り信号を送信することができる。ＰＯＮ１００と通信している第２のＯＮＴは、約１０．３Gbpsに等しい速度かつ約１３１０nmに等しい波長で、第２の上り信号を送信することができる。第１および第２の上り信号は、ＴＤＭ方式を用いて、上り複数速度信号に多重化され得る。複数速度波長信号は、それ故、２つの速度（約１．２５Gbpsおよび約１０．３Gbps）および１つの波長（約１３１０nm）を含み得る。他の例では、第３のＯＮＴは、第３の上り信号を送信することができ、それは、粗いＷＤＭ（ＣＷＤＭ）または密なＷＤＭ（ＤＷＤＭ）信号であってもよい。第３の上り信号は、約１３１０nmに等しい波長を含む複数の波長のうちの１つで、かつ約１．２５Gbpsに等しい速度で、送信され得る。そして、第３の上り信号は、ＴＤＭ方式およびＷＤＭ方式を用いて、第１の上り信号および第２の上り信号と共に、上り複数速度、複数波長信号に多重化され得る。複数速度、複数波長信号は、それ故、２つの速度（約１．２５Gbpsおよび約１０．３Gbps）および複数の波長を含み得る。
【００１８】
このように、ＰＯＮ１００は、複数速度、複数波長信号を検出するように構成された複数速度、複数波長検出器１１２を含み得る。複数速度、複数波長信号は、ＯＬＴ１１０、ＯＮＴ１２０、またはＰＯＮ１００と通信する他のネットワーク、またはそれらの組み合わせから受信され得る。具体的には、複数速度、複数波長検出器１１２は、複数速度、複数波長信号を増幅し、複数速度、複数波長信号を複数の信号に分離し、かつ信号のうちの各１つを別々に検出することができる。複数速度、複数波長検出器は、更に、複数の光検出器を備え得る。この各々は、以下で詳細に説明するが、信号のうちの１つを、単一速度および単一波長で別々に検出する。複数速度、複数波長検出器１１２は、図１の中ではＯＬＴ１１０に接続されているが、他の実施形態において、複数速度、複数波長検出器１１２は、ＯＮＴ１２０を含む他のＰＯＮ素子に接続され得る。
【００１９】
複数速度、複数波長検出器１１２は、複数速度、複数波長信号を複数の個別信号に分離することができる。それは、別々の検出器を用いて別々に検出された各々であってもよい。具体的には、複数速度、複数波長検出器１１２は、第１の単一速度及び単一波長信号、第２の単一速度及び単一波長信号、および複数の第３の単一速度及び単一波長信号を検出するために、複数速度、複数波長信号を分離することができる。前の例に続いて、第１の単一速度及び単一波長信号は、約１．２５Gbps及び約１３１０nmで第１のＯＮＴから送信される上り信号を含み得る。第２の単一速度及び単一波長信号は、約１０．３Gbps及び約１３１０nmで第２のＯＮＴから送信される信号を含み得る。第３の単一速度及び単一波長信号は、約１０．３Gbps及びＷＤＭ波長のうちの１つで第３のＯＮＴから送信される信号を含み得る。
【００２０】
図２は、複数速度、複数波長検出器２００の一実施形態を示している。複数速度、複数波長検出器２００は、光増幅器２１０、光プロセッサ２２０、複数の光検出器２３０、および制御器２５０を含み得る。図２には３つの光検出器が示されているが、装置２００は、いかなる数の光検出器２３０を含むこともできる。
【００２１】
光増幅器２１０は、複数速度、複数波長信号を増幅することができる、いかなる光デバイスであってもよい。具体的には、光増幅器２１０は、光プロセッサ２２０に接続されていて、複数速度、複数波長信号の強度を増加させるように構成され得る。このような増幅は、光プロセッサ２２０で導入されるいかなる信号損失も補償することができる。光増幅器は、特定波長での入射光のための利得を生み出すためにポンピングされ得る活性媒体を備えたレーザ増幅器であってもよい。光増幅器は、利得を生み出すためにポンピングされ得るドープ光ファイバを備えたドープファイバ増幅器であってもよい。例えば、光増幅器２１０は、エルビウムドープファイバ増幅器であってもよく、これは、外部光源によってポンピングされる時に、様々な波長で光を増幅することができる。光増幅器２１０は、ポンピングされ得る半導体利得媒体を含む半導体光増幅器であってもよい。それは、また、両端に反射防止光素子を有していてもよい。他の実施形態では、光増幅器２１０は、ラマン光増幅器であってもよい。光利得は、光ファイバの中での入射光信号とポンプレーザとの間の非線形相互作用によって達成され得る。光増幅器２１０は、異なるタイプの光増幅器の組み合わせを含んでいてもよい。
【００２２】
光プロセッサ２２０は、光増幅器２１０および複数の光検出器２３０に接続され得る。光プロセッサ２２０は、１つまたは複数の素子を含み得る。それは、複数速度、複数波長信号を複数の単一波長信号に分割またはコピーするように構成され得る。このように、光プロセッサ２２０は、１つ以上の光素子、例えばスプリッタ、光多重分離器、フィルタ、または他の光素子を含み得る。具体的には、光フィルタまたは光多重分離器が、複数波長信号を複数の単一波長信号に分割するために用いられ得る。同様に、光プロセッサ２２０は、複数速度信号を複数の単一速度信号にコピーすることができる。単一速度信号または単一波長信号の各々は、増幅された複数速度信号の強度マイナス光プロセッサ２２０で導入された任意の信号損失の一部を含み得る。このような分割またはコピーの際にこうむるパワー損失は、事前の光増幅で補償され得るので、光プロセッサ２２０を出て行く信号のパワーは、光増幅器２１０に入る複数速度、複数波長信号のパワーに実質的に等しい。
【００２３】
各光検出器２３０は、単一波長信号のうちの１つを受信することができる。各光検出器２３０は、単一速度かつ単一波長でのみ信号を検出して、信号の他のいかなる速度および波長も無視するように構成され得る。光検出器の各々は、他の単一速度信号のうちの少なくとも１つと異なっていてもよい速度で送信される単一速度信号を検出するように構成され得る。
【００２４】
光検出器は、光プロセッサ２２０に加えて、ＴＤＭＡ方式を実行するように構成された制御器２５０に接続され得る。制御器２５０は、いつ単一速度信号を検出するかを光検出器２３０に知らせるために、ＴＤＭＡ方式を用いることができる。具体的には、制御器２５０は、指定された時間枠で光検出器２３０の各々を起動させ、かつ他の時間枠の間に光検出器を停止させることができる。いくつかの実施形態において、光検出器２３０の各々が１つの速度だけ、１つの波長だけ、または両方を検出して、信号の残りの速度および波長を無視することができる時には、制御器２５０は必要ではない可能性がある。
【００２５】
図３は、複数速度、複数波長検出器３００の他の実施形態を示している。複数速度、複数波長検出器３００は、光スプリッタ３２０に接続された光増幅器３１０を備え得る。光スプリッタ３２０は、２つの光検出器３３０および３４０に接続され得る。それらは、次に制御器３５０に接続される。複数速度、複数波長検出器３００は、単一波長、例えば約１３１０nmに等しい波長で送信された複数速度信号を受信することができる。複数速度信号は、約１．２５Gbpsおよび１０．３Gbpsに等しい速度で送信された２つのＴＤＭ多重化信号を含み得る。光増幅器３１０は、複数速度信号を増幅し得る。そして、増幅された複数速度信号は、光スプリッタ３２０に運ばれ得る。そこでは、増幅された複数速度信号は、２つの同一信号に分割されるか、またはコピーされ得る。
【００２６】
２つの信号は、２つの光検出器３３０および３４０のうちの１つに各々運ばれ得る。光検出器３３０は、第１の信号速度、例えば約１．２５Gbpsを検出するように構成され得る。そして、光検出器３４０は、第２の信号速度、例えば約１０．３Gbpsを検出するように構成され得る。このように、光検出器３３０は、複数速度信号の第１の部分を検出することができ、光検出器３４０は、複数速度信号の第２の部分を検出することができる。他の実施形態において、複数速度、複数波長検出器３００は、複数速度信号における速度毎に１つの検出器があるように、光スプリッタ３２０に接続される２つ以上の光検出器を備え得る。
【００２７】
図４は、他の複数速度、複数波長検出器４００を示している。複数速度、複数波長検出器４００は、光スプリッタ４２０に接続された光増幅器４１０を備え得る。光スプリッタ４２０は、５つの光フィルタ４３０，４３２，４３４，４３６，および４３８に接続され得る。具体的には、光スプリッタ４２０は、光フィルタ４３０，４３２に直接接続され、光フィルタ４３４，４３６，および４３８に間接的に接続され得る。光フィルタ４３０，４３２，４３４，４３６，および４３８は、異なる波長範囲で信号をフィルタにかける帯域通過フィルタであってもよい。帯域通過フィルタ４３０，４３２，４３４，４３６，および４３８は、それぞれ、光検出器４４０，４４２，４４４，４４６，および４４８に接続され得る。複数速度、複数波長検出器４００は、約１．２５Gbpsかつ中心が約１３１０nmで送信される第１波長チャネル、および、約２．５Gbpsかつ中心が約１２７０nm，約１２９６．５nm，約１３２３．５nm，および約１３５０nmで送信される４つの追加波長チャネルを含む複数速度、複数波長信号を受信することができる。
【００２８】
光スプリッタ４２０は、増幅された複数速度、複数波長信号を第１の部分および第２の部分に分割することができる。第１の部分は、帯域通過フィルタ４３０に運ばれ得る。それは、約１２９５nmから約１３２５nmまでではないいかなる信号もフィルタにかけるように構成され得る。第２の部分は、帯域通過フィルタ４３２に運ばれ得る。それは、約１２６０nmから約１２８０nmまでではないいかなる信号もフィルタにかけるように構成され得る。
【００２９】
帯域通過フィルタ４３２は、第２の部分の残りの部分を帯域通過フィルタ４３４に送ることができ、これは、約１２８６．５nmから約１３０６．５nmまでではない信号をフィルタにかけるように構成され得る。帯域通過フィルタ４３４は、第２の部分の残りの部分を帯域通過フィルタ４３６に送ることができ、これは、約１３１３．５nmから約１３３５．５nmまでではない信号をフィルタにかけるように構成され得る。帯域通過フィルタ４３６は、第２の部分の残りの部分を帯域通過フィルタ４３８に送ることができ、これは、約１３４０nmから約１３６０nmまでではない信号をフィルタにかけるように構成され得る。
【００３０】
帯域通過フィルタ４３０，４３２，４３４，４３６，および４３８は、それぞれ、それらの信号を光検出器４４０，４４２，４４４，４４６，および４４８に送ることができる。具体的には、光検出器４４０は、約１．２５Gbps、約１３１０nmで送信された信号を受信することができる。同様に、光検出器４４２，４４４，４４６，および４４８は、約２．５Gbps、追加波長チャネルの中心、約１２７０nm，約１２９６．５nm，約１３２３．５nm，および約１３５０nmで、それぞれ送信された信号を受信することができる。このように、光検出器４４０，４４２，４４４，４４６，および４４８で受信される波長チャネルのいくつかは、重複していてもよい。例えば、光検出器４４０での約１２９５nmから約１３２５nmまでの第１の波長チャネルは、光検出器４４４での約１２８６．５nmから約１３０６．５nmまでの第３の波長チャネルと重複し得る。また、光検出器４４０での第１の波長チャネルは、光検出器４４６での約１３１３．５nmから約１３３５．５nmまでの第４の波長チャネルと重複し得る。このように、光検出器４４０は、光検出器４４４，４４６に対応する信号の一部を受信することができ、光検出器４４４および４４６は、光検出器４４０に対応する信号の一部を受信することができる。しかし、これらの冗長な信号は、例えばＴＤＭＡ方式を用いて、制御器４５０によって解消され得る。具体的には、光検出器４４０は、約１．２５Gbpsの伝送速度に対応する信号だけを検出することができる。光検出器４４４および４４６は、各々約２．５Gbpsの伝送速度に対応する信号だけを検出することができる。
【００３１】
他の実施形態では、複数速度、複数波長検出器は、単一速度、例えば約２．５Gbpsに等しい速度で複数波長信号を受信することができる。このような場合、複数速度、複数波長検出器は、複数波長信号を増幅することができる光増幅器と、増幅された複数波長信号を異なる波長チャネルに対応する複数の信号に分割することができる光多重分離器または複数の光フィルタとを備え得る。このような場合、光フィルタは、図４中の光フィルタ４３２，４３４，４３６，および４３８と同様に構成され得る。そして、複数の信号は、異なる波長チャネルを通じて別々の光検出器に各々送信され得る。
【００３２】
図５は、複数速度、複数波長信号検出方法５００の一実施形態を示している。方法５００は、ＯＬＴ１１０またはＰＯＮ１００の任意の他の素子で実行され得る。ブロック５１０で、方法５００は、入って来る複数速度、複数波長信号を増幅することができる。複数速度、複数波長信号は、複数速度、複数波長信号の強度を増加させることによって増幅され得る。ブロック５２０で、方法５００は、複数速度、複数波長信号を複数の複数速度、複数波長信号に分割することができる。ブロック５３０で、方法５００は、分割信号の各々を複数の単一波長信号に分割することができる。ブロック５４０で、方法５００は、別々の光検出器を用いて、単一速度信号の各々を別々に検出することができる。方法５００は、別々の検出器に接続された別々の波長フィルタを用いて、異なる波長チャネルまたは重複している波長チャネルに対応する信号の各々を検出することができる。方法５００は、各検出器を、高感度で単一速度、単一波長信号を検出するように構成することもできる。他の実施形態では、方法５００は、複数速度、複数波長信号を複数の単一波長信号に最初に分割することができ、各々は、異なる速度で送信される複数の信号を含んでいる。そして、方法５００は、単一波長信号の各々を複数の別々の信号に分割することができ、これは別々に検出され得る。
【００３３】
上記のネットワーク素子は、任意の汎用ネットワーク素子、例えば、充分な処理パワーを有するコンピュータまたはネットワーク素子、メモリ資源、およびその上に置かれる必要な作業負荷を処理するネットワークスループット機能の上で実現され得る。図６は、ここに開示されたノードの１つ以上の実施形態を実施するのに適した典型的な汎用ネットワーク素子を示している。ネットワーク素子６００は、二次記憶装置６０４、読み出し専用メモリ（ＲＯＭ）６０６、ランダムアクセスメモリ（ＲＡＭ）６０８を含むメモリデバイスと通信するプロセッサ６０２（それは中央プロセッサユニットまたはＣＰＵと呼ばれてもよい）と、入出力（Ｉ/Ｏ）デバイス６１０と、ネットワーク接続デバイス６１２とを備えている。プロセッサは、１つ以上のＣＰＵチップとして実現され得る。あるいは、１つ以上の特定用途向け集積回路（ＡＳＩＣ）の一部であってもよい。
【００３４】
二次記憶装置６０４は、通常は１つ以上のディスクドライブまたはテープドライブを備えていて、データの不揮発性記憶装置として用いられ、かつ、ＲＡＭ６０８が全てのワーキングデータを保持するのに十分大きくない場合、オーバーフローデータ記憶デバイスとして用いられる。二次記憶装置６０４は、実行のために選択された時にＲＡＭ６０８にロードされるプログラムを保存するために用いられ得る。ＲＯＭ６０６は、プログラム実行の間、読み込まれる命令およびおそらくはデータを保存するために用いられる。ＲＯＭ６０６は、二次記憶装置のより多いメモリ容量と比較して、通常は少ないメモリ容量を有する不揮発性メモリデバイスである。ＲＡＭ６０８は、揮発性データおよびおそらくは命令を格納するために用いられる。ＲＯＭ６０６およびＲＡＭ６０８へのアクセスは、通常は、二次記憶装置６０４へのアクセスより速い。
【００３５】
いくつかの実施形態が本開示において提供されたが、開示されたシステム及び方法が本開示の精神または範囲から逸脱することなく、多くの他の具体的な形で実施される可能性があることを理解すべきである。本実施形態は、例示的であって、限定的ではないと考えられるべきである。そして、その意図は、ここに与えられた細部に限定されるべきではない。例えば、様々な要素または構成要素は、他のシステムの中に組み合わされ、または組み込まれてもよい。または、ある特徴は、省略されるか、または実施されなくてもよい。
【００３６】
加えて、様々な実施形態の中で別々のものとして図と共に説明した技術、システム、サブシステム、および方法は、本開示の範囲内において、他のシステム、モジュール、技術、または方法と組み合わされ、または組み込まれ得る。連結されるか又は直接連結されるか又は相互に通信するものとして、図示したか又は説明した他の項目は、間接的に連結されるか、又は、電気的、機械的、又はそれ以外であろうとなかろうと、いくつかのインターフェース、デバイス、又は媒介素子を通して通信してもよい。変化、置換、および変更の他の例は、当業者によって確認可能であり、ここに開示された精神および範囲から逸脱することなく、なされ得る。
【符号の説明】
【００３７】
２１０  光増幅器
２２０  光プロセッサ
２３０  光検出器
２５０  制御器
【図１】
2011502366.tif 000003
【図２】
2011502366.tif 000004
【図３】
2011502366.tif 000005
【図４】
2011502366.tif 000006
【図５】
2011502366.tif 000007
【図６】
2011502366.tif 000008
【国際調査報告】
2011502366.tif 000009
2011502366.tif 000010